【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
被検眼の視神経乳頭を含む眼底の部位の形態を表す３次元画像を受けてこれを処理する眼底画像処理装置であって、
前記３次元画像に基づいて前記視神経乳頭の形態を表す断層像を形成する断層像形成部と、
前記断層像を解析して当該断層像中の篩状板領域を特定する第１特定部と、
前記断層像を解析して当該篩状板領域中の孔部領域を特定する第２特定部と、
前記第２特定部により特定された前記孔部領域の前記篩状板領域における分布を表す分布情報を生成する生成部と、
前記分布情報を表示する表示部と、
を備えることを特徴とする眼底画像処理装置。
【請求項２】
前記分布情報は、前記孔部領域に含まれる複数の連結領域のサイズに基づく統計値、及び、前記篩状板領域に対する前記孔部領域の面積比の少なくともいずれかを含む、
ことを特徴とする請求項１に記載の眼底画像処理装置。
【請求項３】
前記表示部は、前記孔部領域と、前記篩状板領域における前記孔部領域以外の画像領域と、前記断層像における前記篩状板領域以外の画像領域とを互いに異なる表示態様として前記断層像を表示する、
ことを特徴とする請求項１又は請求項２に記載の眼底画像処理装置。
【請求項４】
前記断層像形成部は、前記断層像として、前記視神経乳頭の深さ方向に直交しかつ深さ位置の異なる複数の水平断層像を形成し、
前記第１特定部は、前記複数の水平断層像のそれぞれについて前記篩状板領域を特定し、
前記第２特定部は、前記複数の水平断層像のそれぞれについて前記孔部領域を特定し、
前記生成部は、前記篩状板領域の特定結果及び前記孔部領域の特定結果に基づいて前記異なる深さ位置のそれぞれの前記篩状板領域における前記孔部領域の水平分布を求め、更に、前記異なる深さ位置の前記水平分布に基づいて前記深さ方向における前記孔部領域の分布の変化を前記分布情報として求める、
ことを特徴とする請求項１〜請求項３のいずれか一項に記載の眼底画像処理装置。
【請求項５】
前記分布の変化を表す前記分布情報が求められた前記複数の水平断層像に基づいて新たな３次元画像を形成する３次元画像形成部を備える、
ことを特徴とする請求項４に記載の眼底画像処理装置。
【請求項６】
前記断層像形成部は、前記新たな３次元画像に基づいて前記深さ方向に沿う垂直断層像を形成し、
前記表示部は、前記垂直断層像を表示する、
ことを特徴とする請求項５に記載の眼底画像処理装置。
【請求項７】
前記表示部は、前記分布情報に基づいて前記孔部領域の表示態様を変更して前記垂直断層像を表示する、
ことを特徴とする請求項６に記載の眼底画像処理装置。
【請求項８】
前記断層像形成部は、前記３次元画像に基づいて前記深さ方向に沿う垂直断層像を形成し、
前記第１特定部は、当該垂直断層像中の前記篩状板領域を特定し、
前記第２特定部は、当該垂直断層像中の前記孔部領域を特定し、
前記生成部は、前記篩状板領域の特定結果及び前記孔部領域の特定結果に基づいて前記篩状板領域における前記孔部領域の垂直分布を前記分布情報として求める、
ことを特徴とする請求項１〜請求項３のいずれか一項に記載の眼底画像処理装置。
【請求項９】
前記第１特定部は、前記断層像の画素値に基づいて前記断層像における前記視神経乳頭に相当する乳頭領域と血管に相当する血管領域とを特定し、前記乳頭領域から前記血管領域を除いた領域を前記篩状板領域として特定する、
ことを特徴とする請求項１〜請求項８のいずれか一項に記載の眼底画像処理装置。
【請求項１０】
前記断層像は、輝度値を表す複数の画素が縦横に配列されてなる輝度画像であり、
前記第２特定部は、前記断層像中の縦方向及び／又は横方向に沿う各画素列における画素の位置と輝度値とを対応付ける第１グラフを作成し、前記第１グラフの極大値を結ぶ極大包絡線と極小値を結ぶ極小包絡線とを求め、前記第１グラフの輝度値を表す座標軸方向において前記極大包絡線と前記極小包絡線との間を所定比で内分する第２グラフを求め、前記第２グラフよりも輝度値が小さい画素を前記孔部領域の画素として特定する、
ことを特徴とする請求項１〜請求項９のいずれか一項に記載の眼底画像処理装置。
【請求項１１】
光源からの光を信号光と参照光とに分割し、被検眼の眼底を経由した前記信号光と参照光路を経由した前記参照光とを重畳させて干渉光を生成して検出する光学系と、
前記干渉光の検出結果に基づいて視神経乳頭を含む前記眼底の部位の形態を表す３次元画像を形成する形成部と、
前記３次元画像に基づいて前記視神経乳頭の形態を表す断層像を形成する断層像形成部と、
前記断層像を解析して当該断層像中の篩状板領域を特定する第１特定部と、
前記断層像を解析して当該篩状板領域中の孔部領域を特定する第２特定部と、
前記第２特定部により特定された前記孔部領域の前記篩状板領域における分布を表す分布情報を生成する生成部と、
前記分布情報を表示する表示部と、
を備えることを特徴とする眼底観察装置。
【手続補正２】
【補正対象書類名】明細書
【補正対象項目名】００１６
【補正方法】変更
【補正の内容】
【００１６】
上記目的を達成するために、この発明の第１の形態は、被検眼の視神経乳頭を含む眼底の部位の形態を表す３次元画像を受けてこれを処理する眼底画像処理装置であって、前記３次元画像に基づいて前記視神経乳頭の形態を表す断層像を形成する断層像形成部と、前記断層像を解析して当該断層像中の篩状板領域を特定する第１特定部と、前記断層像を解析して当該篩状板領域中の孔部領域を特定する第２特定部と、前記第２特定部により特定された前記孔部領域の前記篩状板領域における分布を表す分布情報を生成する生成部と、前記分布情報を表示する表示部とを備えることを特徴とする。
また、第２の形態は、前記分布情報は、前記孔部領域に含まれる複数の連結領域のサイズに基づく統計値、及び、前記篩状板領域に対する前記孔部領域の面積比の少なくともいずれかを含むことを特徴とする。
また、第３の形態は、前記表示部は、前記孔部領域と、前記篩状板領域における前記孔部領域以外の画像領域と、前記断層像における前記篩状板領域以外の画像領域とを互いに異なる表示態様として前記断層像を表示することを特徴とする。
また、第４の形態は、前記断層像形成部は、前記断層像として、前記視神経乳頭の深さ方向に直交しかつ深さ位置の異なる複数の水平断層像を形成し、前記第１特定部は、前記複数の水平断層像のそれぞれについて前記篩状板領域を特定し、前記第２特定部は、前記複数の水平断層像のそれぞれについて前記孔部領域を特定し、前記生成部は、前記篩状板領域の特定結果及び前記孔部領域の特定結果に基づいて前記異なる深さ位置のそれぞれの前記篩状板領域における前記孔部領域の水平分布を求め、更に、前記異なる深さ位置の前記水平分布に基づいて前記深さ方向における前記孔部領域の分布の変化を前記分布情報として求めることを特徴とする。
また、第５の形態は、前記分布の変化を表す前記分布情報が求められた前記複数の水平断層像に基づいて新たな３次元画像を形成する３次元画像形成部を備えることを特徴とする。
また、第６の形態は、前記断層像形成部は、前記新たな３次元画像に基づいて前記深さ方向に沿う垂直断層像を形成し、前記表示部は、前記垂直断層像を表示することを特徴とする。
また、第７の形態は、前記表示部は、前記分布情報に基づいて前記孔部領域の表示態様を変更して前記垂直断層像を表示することを特徴とする。
また、第８の形態は、前記断層像形成部は、前記３次元画像に基づいて前記深さ方向に沿う垂直断層像を形成し、前記第１特定部は、当該垂直断層像中の前記篩状板領域を特定し、前記第２特定部は、当該垂直断層像中の前記孔部領域を特定し、前記生成部は、前記篩状板領域の特定結果及び前記孔部領域の特定結果に基づいて前記篩状板領域における前記孔部領域の垂直分布を前記分布情報として求めることを特徴とする。
また、第９の形態は、前記第１特定部は、前記断層像の画素値に基づいて前記断層像における前記視神経乳頭に相当する乳頭領域と血管に相当する血管領域とを特定し、前記乳頭領域から前記血管領域を除いた領域を前記篩状板領域として特定することを特徴とする。
また、第１０の形態は、前記断層像は、輝度値を表す複数の画素が縦横に配列されてなる輝度画像であり、前記第２特定部は、前記断層像中の縦方向及び／又は横方向に沿う各画素列における画素の位置と輝度値とを対応付ける第１グラフを作成し、前記第１グラフの極大値を結ぶ極大包絡線と極小値を結ぶ極小包絡線とを求め、前記第１グラフの輝度値を表す座標軸方向において前記極大包絡線と前記極小包絡線との間を所定比で内分する第２グラフを求め、前記第２グラフよりも輝度値が小さい画素を前記孔部領域の画素として特定することを特徴とする。
また、第１１の形態は、光源からの光を信号光と参照光とに分割し、被検眼の眼底を経由した前記信号光と参照光路を経由した前記参照光とを重畳させて干渉光を生成して検出する光学系と、前記干渉光の検出結果に基づいて視神経乳頭を含む前記眼底の部位の形態を表す３次元画像を形成する形成部と、前記３次元画像に基づいて前記視神経乳頭の形態を表す断層像を形成する断層像形成部と、前記断層像を解析して当該断層像中の篩状板領域を特定する第１特定部と、前記断層像を解析して当該篩状板領域中の孔部領域を特定する第２特定部と、前記第２特定部により特定された前記孔部領域の前記篩状板領域における分布を表す分布情報を生成する生成部と、前記分布情報を表示する表示部と、を備えることを特徴とする眼底観察装置である。